(57)【要約】【課題】ＰＴＣセラミックヒータを熱源とする浴室換気乾燥機は、ヒータ全体が活電部であり、工事業者や利用者が点検や掃除を行うために吸込みグリルや吹出グリルを取り外して内部を点検する場合に誤ってヒータの活電部に触れ感電する恐れがある。【解決手段】ＰＴＣセラミックヒータ９１は樹脂製のヒータケース９２とヒータカバー９３とで構成した箱の内部に収納し、ヒータケース９２とヒータカバー９３の締結部９４ａ、９４ｂは、箱が取り付けられた状態において取り外せない位置に設ける。【選択図】図５
2006292254.tif 000002
【特許請求の範囲】
【請求項１】
ケーシング内に設けた循環ファンケーシングでカバーされた循環ファンの駆動で吸込グリルから空気を取り込み、前記空気を前記循環ファンの下流側に設けたＰＴＣセラミックヒータにより加熱し、吹出グリルから吹き出す構造の浴室換気乾燥機であって、前記ＰＴＣセラミックヒータは樹脂製のヒータケースとヒータカバーとで構成した箱の内部に収納し、前記ヒータケースとヒータカバーとの締結部は、前記箱が取り付けられた状態において取り外せない位置に設けられたことを特徴とする浴室換気乾燥機。
【請求項２】
締結部がケーシングの内壁もしくはケーシング内の構造物に隣接して設けられていることを特徴とする請求項１の浴室換気乾燥機。
【請求項３】
締結部がネジ止め構造である請求項１の浴室換気乾燥機。
【請求項４】
締結部が爪構造である請求項１の浴室換気乾燥機。
【請求項５】
締結部を箱の長径側の端部に設けた請求項１の浴室換気乾燥機。
【請求項６】
循環ファンケーシングを取り付けることにより箱が固定されることを特徴とする請求項１の浴室換気乾燥機。
【発明の詳細な説明】
【技術分野】
【０００１】
本発明は、浴室や、脱衣室、洗面所、あるいはトイレなどのいわゆるサニタリーゾーンを利用して洗濯物を乾燥したり、暖房や換気などを行う浴室換気乾燥機に関する。
【背景技術】
【０００２】
近年、浴室を利用して洗濯物を乾燥させる乾燥機能を有した浴室換気乾燥機が普及してきている。また、建築基準法が改正され新築住宅にあっては常時換気の機能を有する換気装置の設置が義務付けられ、ますますこの種の装置の普及が拡大してきている。
【０００３】
従来、この種の換気乾燥機は熱源に温水を利用するものと電熱を利用するものがあり、電熱を利用するものにあっては例えば特許文献１に示すようなものが知られている（例えば、特許文献１）。
【０００４】
特許文献１に示すものは、循環用ファンの吹出口近傍に設けたハロゲンヒータによって循環風を温風化すると共にハロゲンヒータの放射熱を浴室内に照射するようにしたものである。
【０００５】
このハロゲンヒータを用いた方式は放射熱も利用するため入浴前の浴室内の加温が不十分であっても冬期の浴室の寒さを緩和できる特徴がある。
【０００６】
また最近、ＰＴＣ（正の温度係数を有する）セラミックヒータも用いられるようになってきている。このセラミックヒータはヒータへの風量制御によって発熱量を制御でき、かつ無風時にもヒータ温度が２００℃程度に押さえることができるので、火災の危険が少ないこと、周辺部材の耐熱温度を低くすることができることが特徴である。
【特許文献１】特開２０００−２７４９４４号公報
【発明の開示】
【発明が解決しようとする課題】
【０００７】
しかしながら、ハロゲンヒータの場合はヒータそのものが電気的に絶縁されていることに対して、セラミックヒータでは後述するようにヒータ全体が活電部（充電部）であり、工事業者や利用者が点検や掃除を行うために吸込グリルや吹出グリルを取り外して内部を点検する場合に誤ってヒータの活電部に触れ感電する恐れがある。
【０００８】
感電が発生した場合、この種の換気乾燥機は漏電ブレーカを介して商用電源に接続されるので、漏電ブレーカが作動して感電は継続しないが、転倒などの２次災害が発生する可能性がある。
【０００９】
本発明は、ＰＴＣセラミックヒータを熱源とする浴室換気乾燥機の前述のような課題を解決することを目的としている。
【課題を解決するための手段】
【００１０】
本発明の浴室換気乾燥機は上記目的を達成するために、ＰＴＣセラミックヒータは樹脂製のヒータケースとヒータカバーとで構成した箱の内部に収納し、前記ヒータケースとヒータカバーとの締結部は、前記箱が取り付けられた状態において取り外せない位置に設けられたことを特徴としている。
【００１１】
この手段により、工事業者や使用者が容易にヒータケースとヒータカバーを取り外すことができず、ＰＴＣセラミックヒータの活電部に触れることを防止できる。
【００１２】
また、本発明の浴室換気乾燥機は上記目的を達成するために、循環ファンケーシングを取り付けることによって箱が固定されることを特徴としている。
【００１３】
この手段により循環ファンケーシングを取り外さないと箱を取り外せないのでより活電部に触れる可能性を低減できる。
【発明の効果】
【００１４】
本発明によれば感電の危険性を極力低減した浴室換気乾燥機を提供できる。
【発明を実施するための最良の形態】
【００１５】
本発明の請求項１記載の浴室換気乾燥機は、ケーシング内に設けた循環ファンケーシングでカバーされた循環ファンの駆動で吸込グリルから空気を取り込み、前記空気を前記循環ファンの下流側に設けたＰＴＣセラミックヒータにより加熱し、吹出グリルから吹き出す構造の浴室換気乾燥機であって、前記ＰＴＣセラミックヒータは樹脂製のヒータケースとヒータカバーとで構成した箱の内部に収納し、前記ヒータケースとヒータカバーとの締結部は、前記箱が取り付けられた状態において取り外せない位置に設けられたことを特徴としている。
【００１６】
この手段により、工事業者や使用者が容易にヒータケースとヒータカバーを取り外すことができず、ＰＴＣセラミックヒータの活電部に触れることを防止できる。
【００１７】
本発明の請求項２記載の浴室換気乾燥機は、請求項１の発明において、締結部がケーシングの内壁もしくはケーシング内の構造物に隣接して設けられていることを特徴としている。
【００１８】
この手段により、安価に請求項１の効果を果たすことができる。
【００１９】
本発明の請求項３記載の浴室換気乾燥機は、請求項１の発明において、締結部がネジ止め構造であることを特徴としている。
【００２０】
本発明の請求項４記載の浴室換気乾燥機は、請求項１の発明において、締結部が爪構造であることを特徴としている。
【００２１】
本発明の請求項５記載の浴室換気乾燥機は、請求項１の発明において、締結部を箱の長径側の端部に設けたことを特徴としている。
【００２２】
この手段により、少ない締結部で強固な箱構造を確保できる。
【００２３】
本発明の請求項６記載の浴室換気乾燥機は、請求項１の発明において、循環ファンケーシングを取り付けることにより箱が固定されることを特徴としている。
【００２４】
この手段により、循環ファンケーシングを取り外さないと箱を取り外せないので、より活電部に触れる可能性を低減できる。
【００２５】
以下、本発明の実施の形態について図面を参照しながら説明する。
【００２６】
（実施の形態１）
まず、全体構成と動作について説明する。
【００２７】
図１は本発明の全体構成を示す、浴室の天井に取り付けられる状態での一部断面斜視図である。
【００２８】
ケーシング１の下面に取り付けた蓋体２とで構成される箱状の内部空間を仕切板３で仕切って上部空間が換気、下部空間が空気循環に利用される。
【００２９】
前記下部空間では、蓋体２に吸込グリル４と吹出グリル５がそれぞれ着脱自在に取り付けられている。仕切板３に取り付けた循環ファンモータ６により駆動される循環ファン７は同じく仕切板３に取り付けた循環ファンケーシング８で覆われ、この循環ファンケーシング８の吹出口にヒータ組９が仕切板３に取り付けられている。
【００３０】
ケーシング１の天面に取り付けた排気ファンモータ１０（図示せず）により駆動される排気ファン１１が設けられている。また、ケーシング１には洗面所など他室の空気を取り込む吸気アダプタ１２と屋外に排気するための排気アダプタ１３が設けられている。電動ダンパ１４を開くことにより浴室内の空気を屋外に排気できるよう仕切板３の一部に設けられている。制御回路基板１５はケーシング１内に収納されている。。
【００３１】
以上の構成において、図２を参照しながら動作を説明する。
【００３２】
図２は、本発明の実施の形態１における電気系の回路図である。
【００３３】
１００Ｖもしくは２００Ｖの商用電源ａに漏電ブレーカ（図示せず）を介して接続される端子ｂと端子ｃに制御回路基板１５に収納された制御回路が接続されている。この制御回路はヒータ組９に収納されたＰＴＣセラミックヒータ９１の通電を制御するヒータ開閉器１５ｂ、循環モータ６を制御する循環モータ開閉器１５ｃ、および排気ファンモータ１０を制御する排気ファンモータ開閉器１５ｄを有している。
【００３４】
また、リモコン１５ａが入力として接続され、出力として電動ダンパ１４を制御する電動ダンパモータ１４ａ（ステッピングモータ）が接続されている。
【００３５】
リモコン１５ａの暖房スイッチを押した場合は、ヒータ開閉器１５ｂと循環ファンモータ開閉器１５ｃが閉路し、これにより循環ファン７が回転し吸込グリル４から取り込んだ浴室の空気がヒータ組９で加熱され吹出グリル５から浴室内に吹き出されることにより浴室内の空気が加温される。このとき電動ダンパモータ１４ａは電動ダンパ１４を閉に制御している。
【００３６】
また、このとき、リモコン１５ａの他のスイッチとは独立して設けられている常時換気スイッチが押されていると排気ファンモータ開閉器１５ｄが閉路して換気ファンモータ１０が駆動し他室（洗面所や脱衣所）の換気を行う。
【００３７】
リモコン１５ａの乾燥スイッチを押した場合は、ヒータ開閉器１５ｂと循環ファンモータ開閉器１５ｃおよび排気ファンモータ開閉器１５ｄとが閉路し、温風が浴室内を循環するとともに、電動ダンパモータ１４ａが電動ダンパ１４を開いて、多湿空気の一部は屋外に排出される。これにより浴室内に吊り下げた衣類を乾燥することができる。
【００３８】
リモコン１５ａの換気スイッチを押した場合は、換気ファンモータ開閉器１５ｄが閉路し、換気ファンモータ１０が駆動され、かつ、電動ダンパモータ１４ａが電動ダンパ１４を開いて、浴室内の空気は屋外に排出される。
【００３９】
これにより浴室内の換気を行うことができる。
【００４０】
上記説明の動作を停止する場合は、リモコン１５ａに設けてある切スイッチを押すことで行うことができる。
【００４１】
また、動作状態か停止状態かは、それぞれのスイッチの近傍に設けた表示ランプで知ることができるが、図示を省略している。
【００４２】
以上が全体の構成と動作である。
【００４３】
次に、ヒータ組９の詳細について図３〜図９を用いて説明する。
【００４４】
図３（ａ）はヒータ組９の場所を示す斜視図であり、天井に取り付けられる状態での下面から見た図で、図１の蓋体２を取り外した図である。
【００４５】
ヒータ組９は循環ファンケーシング８の吹出部に隣接して設けられている。
【００４６】
図３（ｂ）は図３（ａ）から取り外した状態でのヒータ組９の斜視図であり、図３ｃは図３ｂのヒータ組を下面から見た平面図である。
【００４７】
図４はヒータ組９の内部に収納されるＰＴＣセラミックヒータ９１の構成を示す斜視図である。
【００４８】
図において、電極９１ａ、９１ｂ、９１ｃはアルミ製の電極で、これらのそれぞれの電極は、電極９１ｃで説明すると、その両面にアルミ製の波板９１ｄが溶接され、さらに波板９１ｄにアルミ製の均熱板９１ｅが溶接されて一つのユニットを構成している。このユニット３個が複数のＰＴＣセラミックヒータ素子９１ｆを挟み込むようシリコン系接着剤（図示せず）で固定され、ＰＴＣセラミックヒータ９１を形成している。
【００４９】
電源は電極９１ａと電極９１ｂおよび電極９１ｃ間に印加され、複数のセラミックヒータ素子９１ｆが発熱する。この発熱は均熱板９１ｅから波板９１ｄへと伝導する。
循環ファン７により発生した循環風（矢示）は波板９１ｄの隙間を通過する際に加熱される。
【００５０】
以上の説明で明らかなように、ＰＴＣセラミックヒータ９１は、ほぼ全面に亘り活電部が露出した構造である。
【００５１】
図５は、前述のＰＴＣセラミックヒータ９１を組み込んだヒータ組９の分解斜視図である。
【００５２】
ＰＴＣセラミックヒータ９１は耐熱樹脂製のヒータケース９２に収納され、ヒータカバー９３で挟み込む形でカバーされる。ヒータカバー９３には循環風の吹出口９３ａが設けられており、循環風の入り口側にはＵ字溝９３ｂが設けられている。
【００５３】
ヒータケース９２とヒータカバー９３との締結は、ヒータケース９２の長径方向の側面の２カ所において、ネジ９４ａと９４ｂとにより実施される。
【００５４】
長径方向で締結するため、締結のための部品数が少なくかつ、強固な締結が得られる。
【００５５】
図６は、図５で説明したヒータ組９の締結方法の他の例を示す部分断面図で、図５のネジ９４ａ部を爪構造に替えたことを表している。
【００５６】
図において、ヒータケース９２の一部に段部９２ａを設け、これにヒータカバー９３の端部に設けた爪９３ｃが係止している。
【００５７】
爪９３ｃを矢示の方向に動かすことによりヒータカバー９３をヒータケース９２から取り外すことができる。
【００５８】
以上説明したように、ヒータ組９は、ＰＴＣセラミックヒータ９１をヒータケース９２とヒータカバー９３とで挟み込む形で覆うことにより、ＰＴＣヒータ９１の活電部の大半
（通風面を除き）が露出しない構造としている。
【００５９】
次に、ヒータ組９の仕切板３への取り付けについて図７と図８を用いて説明する。
【００６０】
図７において、ヒータ組９はネジ９ａで仕切板３に固定される。ヒータ組９の長径方向の側面はケーシング１の内壁１ａとケーシング１内の構造物１ｂに隣接している。従って、この固定された状態では図５と図６で説明したヒータ組９の締結部は前記内壁１ａ、構造物１ｂが邪魔をしてドライバーなどの工具が使用できないため、締結部を外すことができない。
【００６１】
このヒータ組９を取り付けた後、循環ファンモータ６と循環ファン７とを仕切板３に取り付ける（図示を省略）。
【００６２】
続いて循環ファンケーシング８が複数のネジ８ａで仕切板３に取り付けられるが、この際、循環ファンケーシング８の吹出部が先に取り付けたヒータ組９を押さえ込む形で取り付けが行われる。この状態を図８に示す。
【００６３】
図８は図７をｘ方向から見た部分図である。
【００６４】
仕切板３に取り付けたヒータ組９のＵ字溝９３ｂに循環ファンケーシング８の吹出部の先端部が噛み合った状態を示している。
【００６５】
このように構成することにより、ヒータ組９の通風面の活電部に手や工具が触れることができない。
【００６６】
また、ネジ９ａを取り外してもヒータ組９は取り外しができない。
【００６７】
以上、実施の形態１で説明したように本発明の浴室換気乾燥機は、ＰＴＣセラミックヒータを樹脂製のヒータケースとヒータカバーとで構成した箱に収納し、その締結部を、容易に取り外せない位置に設けたものであり、また循環ファンケーシングを取り付けることによって箱が固定されるように構成したもので、工事業者や使用者が容易にヒータケースとヒータカバーの取り外しができず、ＰＴＣセラミックヒータの活電部に触れることを防止できる。
【産業上の利用可能性】
【００６８】
本発明の浴室換気乾燥機は、点検や修理あるいは清掃時に誤って活電部に触れる危険が少ないので、家庭用の用途にとどまらずホテルや旅館などの業務用の建物や公民館や集会所など公共の施設の用途にも適用できる。
【図面の簡単な説明】
【００６９】
【図１】本発明の浴室換気乾燥機の全体構成を示す一部断面斜視図
【図２】同浴室換気乾燥機の動作を説明するための電気系の回路図
【図３】（ａ）浴室換気乾燥機のヒータ組の場所を示す斜視図（ｂ）同ヒータ組の斜視図（ｃ）同ヒータ組の平面図
【図４】同ヒータ組を構成するＰＴＣセラミックヒータの斜視図
【図５】同ヒータ組の分解斜視図
【図６】同ヒータ組の締結方法の他の例を示す部分断面図
【図７】同ヒータ組の仕切板への取り付け方法を示す斜視図
【図８】図７の取り付け方法の一部を示す断面図
【符号の説明】
【００７０】
１      ケーシング
４      吸込グリル
５      吹出グリル
７      循環ファン
８      循環ファンケーシング
９      ヒータ組
９１    ＰＴＣセラミックヒータ
９２    ヒータケース
９３    ヒータカバー
９３ｃ  爪
９４ａ、９４ｂ  ネジ
【図１】
2006292254.tif 000003
【図２】
2006292254.tif 000004
【図３】
2006292254.tif 000005
【図４】
2006292254.tif 000006
【図５】
2006292254.tif 000007
【図６】
2006292254.tif 000008
【図７】
2006292254.tif 000009
【図８】
2006292254.tif 000010